(57)【要約】【課題】環状の外ボタンの内側に内ボタンを配備したプッシュボタンにおいて、内、外両ボタンの操作性を向上させる。【解決する手段】環状の外ボタン５と、該外ボタン内に配備された内ボタン６とによって構成され、内、外両ボタンは夫々長手側と短手側に区別出来る二重プッシュボタンを具えた携帯電子機器において、内ボタン６の外周縁の隆起高さと、外ボタン５の内周縁の隆起高さの関係は、内ボタン６の長手方向に沿う外周縁は、該外周縁に隣接する外ボタン５の内周縁より高く、内ボタンの短手方向に沿う外周縁は、該外周縁に隣接する外ボタンの内周縁と同じ又は低い。内ボタン６の長手方向に沿う両側縁は、隣合う外ボタン５の内側縁よりも高いため、内ボタンを押圧操作するときに、指が内ボタンの天面全体に触れた場合でも、外ボタンに触れることなく操作でき、操作性が良い。外ボタンは、その外周縁側に指が触れる様に操作すれば、内ボタンに触れることはなく、操作性を損なうことはない。【選択図】　図３
2004119229.tif 000002
【特許請求の範囲】
【請求項１】
環状の外ボタン（５）と、該外ボタン内に配備され外ボタンとは独立した内ボタン（６）とによって構成され、内、外両ボタンは夫々、楕円、長円、長方形等、長手側と短手側に区別でき、内ボタン（６）の外周縁に外ボタン（５）の内周縁が沿っている二重プッシュボタン（４）を具えた電子機器において、内ボタン（６）の外周縁の隆起高さと、外ボタン（５）の内周縁の隆起高さの関係は、内ボタン（６）の長手方向に沿う外周縁（６１）（６１）は、該外周縁に隣接する外ボタン（５）の内周縁（５１）（５１）より高く、内ボタン（６）の短手方向に沿う外周縁（６２）（６２）は、該外周縁に隣接する外ボタン（５）の内周縁（５２）（５２）と同じ高さ又は該内周縁よりも低いことを特徴とする二重プッシュボタンを具えた電子機器。
【請求項２】
内ボタン（６）は、外周部より中央部が少し高く、外ボタン（５）は内周部より外周部が高く形成されている請求項１に記載の二重プッシュボタンを具えた電子機器。
【請求項３】
内、外両ボタン（６）（５）は、長軸及び短軸を挟んで夫々対称形状であり、二重プッシュボタン（４）の中心から長軸を挟んで５０〜７０゜の範囲が短手側である請求項１又は２に記載の二重プッシュボタンを具えた電子機器。
【請求項４】
携帯電話等の携帯端末機である請求項１乃至３の何れかに記載の二重プッシュボタンを具えた電子機器。
【請求項５】
掌に載せた状態で親指で操作し易い位置に二重プッシュボタン（４）が配備され、該二重プッシュボタン（４）の長軸が機器の長さ方向と直交する方向に向いている請求項１乃至４の何れかに記載の二重プッシュボタンを具えた電子機器。
【発明の詳細な説明】
【０００１】
【発明の属する分野】
本発明は、環状の外ボタンと、該外ボタン内に配備された内ボタンとによって構成される二重プッシュボタンを具えた電子機器に関するものである。
【０００２】
【従来の技術及び発明が解決しようとする課題】
図５は、斯種二重プッシュボタンを具えた携帯電話を示している。
携帯電話の操作面（１１）には、プッシュボタン群（１２）が配備され、携帯電話を手に持った状態で、親指で一番操作し易い位置、即ち、操作面（１１）の上部中央に、外ボタン（５）と内ボタン（６）とから成る横長の長円形状の二重プッシュボタン（４）が位置している。
外ボタン（５）と内ボタン（６）は、夫々独立して押圧操作できる。
図７、図８に示す如く、内ボタン（６）の外周縁の高さは、全周に亘って外ボタン（５）の内周縁の高さと同じ或いはの低く形成されている。
上記二重プッシュボタン（４）の場合、内ボタン（６）を押圧するとき、外ボタン（５）にも指が触れて外ボタン（５）をも操作してしまい、操作性が悪い。特に指先の大きな親指で操作する関係上、この問題は大きい。
【０００３】
図９は、従来の他の二重プッシュボタン（４）を示しており、外ボタン（５）も内ボタン（６）も縦長略卵形に形成されており、図１０、図１１に示す如く、内ボタン（６）の外周縁を、全周に亘って外ボタン（５）の内周縁高さと同じ又は低くし、内ボタン（６）の中央部を外周縁から徐々に高く形成している。
この場合、内ボタン（６）を押圧操作するとき、内ボタン（５）の頂部を押すことにより、外ボタン（５）に指が触れずに済む。但し、内ボタン（６）の頂部付近のみに指が触れて天面全体に指が触れないため、押圧操作が安定せず、操作性が悪い。
本発明は、上記問題を解決できる二重プッシュボタンを具えた電子機器を明らかにするものである。
【０００４】
【課題を解決する手段】
本発明は、環状の外ボタン（５）と、該外ボタン内に配備され外ボタンとは独立した内ボタン（６）とによって構成され、内、外両ボタンは夫々、楕円、長円、長方形等、長手側と短手側に区別でき、内ボタン（６）の外周縁に外ボタン（５）の内周縁が沿っている二重プッシュボタン（４）を具えた電子機器において、内ボタン（６）の外周縁の隆起高さと、外ボタン（５）の内周縁の隆起高さの関係は、内ボタン（６）の長手方向に沿う外周縁（６１）（６１）は、該外周縁に隣接する外ボタン（５）の内周縁（５１）（５１）より高く、内ボタン（６）の短手方向に沿う外周縁（６２）（６２）は、該外周縁に隣接する外ボタン（５）の内周縁（５２）（５２）と同じ高さ又は該内周縁よりも低いことを特徴とする。
【０００５】
【作用及び効果】
内ボタン（６）の短手方向の両端、即ち、内ボタンの長手方向に沿う両側縁（６１）（６１）は、隣合う外ボタン（５）の内側縁（５１）（５１）よりも高いため、内ボタン（６）の短軸長さが指先より小さくて、内ボタン（６）を押圧操作するときに、指先が内ボタン（６）の天面全体に触れた場合でも、外ボタン（５）を操作してしまうことはなく、操作性が良い。
外ボタン（５）は、その外周縁側に指が触れる様に操作すれば、内ボタン（６）を操作してしまうことはなく、操作性を損なうことはない。
【０００６】
図１は、２つ折り携帯電話を開いた状態を示している。
該携帯電話は、夫々縦長で扁平な操作部ボディ（１）と表示部ボディ（２）とをヒンジ部（３）を介して長手方向に枢支連結して形成される。
操作部ボディ（１）の操作面（１１）にはプッシュボタン群（１２）が配備され、表示部ボディの表示面（２１）には、液晶パネル等の表示パネル（２２）が配備され、両ホディ（１）（２）が閉じた状態において、操作面（１１）と表示面（２１）は、互いに相手ボティが被さって隠れる。
両ボディ（１）（２）には夫々回路基板が内蔵されている。
【０００７】
上記プッシュボタン群（１２）の内、操作部ボディ（１）の枢支側の中央部、即ち、表示部ボディ（２）を上にして、操作部ボディ（１）の背面を掌に載せて該ホディ（１）を持った状態で、親指で一番操作し易い位置に、本発明の特徴とする二重プッシュボタン（４）が配備されている。
二重プッシュボタン（４）は、環状の外ボタン（５）と、該外ボタン（５）内に配備され外ボタンとは独立した内ボタン（６）とによって構成される。
内、外両ボタン（６）（５）は夫々、楕円、長円、長方形等、長手側と短手側に区別でき、操作面（１１）の長手方向と直交する方向に向いて折り、内ボタン（６）の外周縁に、外ボタン（５）の内周縁が沿っている。
【０００８】
内ボタン（６）の外周縁の隆起高さと、外ボタン（５）の内周縁の隆起高さの関係は、図３に示す如く、内ボタン（６）の長手方向に沿う縁部（６１）（６１）は、該縁部に隣接する外ボタンの縁部（５１）（５１）より高く形成され、図４に示す如く、内ボタン（６）の短手方向に沿う縁部（６２）（６２）の高さは、該縁部に隣接する外ボタン（５）の縁部（５２）（５２）と同じ高さ又は該縁部（５２）（５２）よりも低く形成されている。
【０００９】
図２に示す如く、内、外両ボタン（６）（５）は、長軸及び短軸を挟んで夫々対称形であり、二重プッシュボタン（４）の中心から長軸を挟んで５０〜７０゜の範囲が短手側であり、残り部分が長手側である。実施例では６０゜の範囲が短手側である。内、外両ボタン（６）（５）の短手側と長手側の境界部近傍は極端な段差ではなく緩やかに湾曲した段差となっている。
【００１０】
外ボタン（５）は、短手方向の両側近傍、長手方向の両側近傍の４位置を選択に押圧して、回路基板（７）上の４つのスイッチ（７１）（７２）（７３）（７４）を選択的に動作させることができ、押圧を解除すると外ボタン（５）は元の姿勢に復帰する。この外ボタン（５）の構成については公知であるので、詳細は省略する。
【００１１】
実施例では、内ボタン（６）は、外周部より中央部の方が少し高くなっており、外周部から中央部に緩やかに湾曲している。
外ボタン（５）は内周部より外周部が高く形成され、該外周部の高さは、内ボタン（６）の頂部高さと同程度である。
【００１２】
然して、内ボタン（６）の短手方向の両端、即ち、内ボタン（６）の長手方向に沿う両側縁（６１）（６１）は、隣合う外ボタン（５）の内側縁（５１）（５１）よりも高いため、内ボタン（６）の短軸長さが指先より小さくて、内ボタン（６）を押圧操作するときに、指先が内ボタン（６）の天面全体に触れた場合でも、外ボタン（５）を操作してしまうことはなく、操作性が良い。
【００１３】
外ボタン（５）の短手側のスイッチ（７１）（７２）を操作をするときは、その短手側の外周縁側を押せば、内ボタン（６）を操作してしまうことはなく、操作性を損なうことはない。
外ボタン（５）の長手側のスイッチ（７３）（７４）を操作するとき、外ボタン（５）の指に当たる部分の面積は小さくとも、該部分は、隣接する内ボタン（６）の外周縁（６２）と同じ高さ或いは該外周縁（６２）よりも高く形成されているから、内ボタン（６）に触れることなく、操作が可能である。
実施例では外ボタン（５）は外周側が高く隆起しているため、４つのスイッチ（７１）（７２）（７３）（７４）の何れを操作する場合でも、指先が先にこの隆起部分に触れるため、内ボタン（６）に触れることを防止でき、一層操作性が向上する。
【００１４】
本発明は、携帯電話に限らず、手指で押圧操作するスイッチを具えた電子機器であれば、実施可能である。
【００１５】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】携帯電話の斜面図である。
【図２】二重プッシュボタンの拡大斜面図である。
【図３】図１Ａ−Ａ線に沿う断面図である。
【図４】図１Ｂ−Ｂ線に沿う断面図である。
【図５】従来例の携帯電話の斜面図である。
【図６】同上の二重プッシュボタンの拡大斜面図である。
【図７】図５Ａ−Ａ線に沿う断面図である。
【図８】図５Ｂ−Ｂ線に沿う断面図である。
【図９】従来例の他の実施例の二重プッシュボタンの拡大斜面図である。
【図１０】図９Ａ−Ａ線に沿う断面図である。
【図１１】図９Ｂ−Ｂ線に沿う断面図である。
【符号の説明】
（１）　　操作部ボディ
（１１）　操作面
（２）　　表示部ボディ
（２１）　表示面
（４）　　二重プッシュ
（５）　　外ボタン
（６）　　内ボタン
【図１】
2004119229.tif 000003
【図２】
2004119229.tif 000004
【図３】
2004119229.tif 000005
【図４】
2004119229.tif 000006
【図５】
2004119229.tif 000007
【図６】
2004119229.tif 000008
【図７】
2004119229.tif 000009
【図８】
2004119229.tif 000010
【図９】
2004119229.tif 000011
【図１０】
2004119229.tif 000012
【図１１】
2004119229.tif 000013
【手続補正書】
【提出日】平成14年10月25日(2002.10.25)
【手続補正１】
【補正対象書類名】明細書
【補正対象項目名】特許請求の範囲
【補正方法】変更
【補正の内容】
【特許請求の範囲】
【請求項１】
環状の外ボタン（５）と、該外ボタン内に配備され外ボタンとは独立した内ボタン（６）とによって構成され、内、外両ボタンは夫々、楕円、長円、長方形等、長手側と短手側に区別でき、内ボタン（６）の外周縁に外ボタン（５）の内周縁が沿っている二重プッシュボタン（４）を具えた電子機器において、内ボタン（６）の外周縁の隆起高さと、外ボタン（５）の内周縁の隆起高さの関係は、内ボタン（６）の長手方向に沿う外周縁（６１）（６１）は、該外周縁に隣接する外ボタン（５）の内周縁（５１）（５１）より高く、内ボタン（６）の短手方向に沿う外周縁（６２）（６２）は、該外周縁に隣接する外ボタン（５）の内周縁（５２）（５２）と同じ高さ又は該内周縁よりも低いことを特徴とする二重プッシュボタンを具えた電子機器。
【請求項２】
内ボタン（６）は、外周部より中央部が少し高く、外ボタン（５）は内周部より外周部が高く形成されている請求項１に記載の二重プッシュボタンを具えた電子機器。
【請求項３】
内、外両ボタン（６）（５）は、長軸及び短軸を挟んで夫々対称形状であり、二重プッシュボタン（４）の中心から長軸を挟んで５０〜７０゜の範囲が短手側である請求項１又は２に記載の二重プッシュボタンを具えた電子機器。
【請求項４】
携帯電話等の携帯端末機である請求項１乃至３の何れかに記載の二重プッシュボタンを具えた電子機器。
【請求項５】
掌に載せた状態で親指で操作し易い位置に二重プッシュボタン（４）が配備され、該二重プッシュボタン（４）の長軸が機器の長さ方向と直交する方向に向いている請求項１乃至４の何れかに記載の二重プッシュボタンを具えた電子機器。